(57)【要約】【課題】  フロントフレームの正面中央に設けた継手を介して跳ね上げフロント部を取付けた跳ね上げ式メガネの提供。【解決手段】  跳ね上げフロント部３は右継手片１０に取着した右フロント部８と左継手片１１に取着した左フロント部９を有し、左右継手片１１，１０はネジ軸７を介して互いに連結すると共にコイルバネ１５を取付けて上記左右継手片１１，１０は付勢されたバネ力によって跳ね上げフロント部３が下りた状態ではワタリ１の正面１８に当接し、跳ね上げた状態ではワタリ１の上面１９に当接し、そして、該上面１９の形状をほぼ水平位置に跳ね上げられた跳ね上げフロント部３がワタリ１より上方に位置する形状をしている。【選択図】    図４
2011227222.tif 000002
【特許請求の範囲】
【請求項１】
フロントフレームの正面中央に設けた継手を介して跳ね上げフロント部を取付けた跳ね上げ式メガネにおいて、跳ね上げフロント部は右継手片に取着した右フロント部と左継手片に取着した左フロント部を有し、左右継手片はネジ軸を介して互いに揺動可能に連結すると共に、跳ね上げられた跳ね上げフロント部がフロントフレームより上方に位置するようにしたことを特徴とする跳ね上げ式メガネ。
【請求項２】
左右継手片を揺動可能に連結するネジ軸にバネを取付けて、上記左右継手片は上記バネによって付勢されたバネ力にて跳ね上げフロント部が下りた状態ではフロントフレームの正面に当接し、跳ね上げた状態ではフロントフレームの上面に当接し、そして、該上面の形状をほぼ水平位置に跳ね上げられた跳ね上げフロント部がフロントフレームより上方に位置する形状をした請求項１記載の跳ね上げ式メガネ。
【請求項３】
上記左右継手片に付勢されるバネ力としてネジ軸にはコイルバネを取付け、該コイルバネの一方先端を右継手片に係合し、他方先端を左継手片に係合した請求項２記載の跳ね上げ式メガネ。
【請求項４】
上記左右継手片の摺動面を細かい凹凸面とした請求項１記載の跳ね上げ式メガネ。
【請求項５】
上記フロントフレームとして、湾曲した一本のワタリとして構成した請求項１、請求項２、請求項３、又は請求項４記載の跳ね上げ式メガネ。
【発明の詳細な説明】
【技術分野】
【０００１】
本発明はフロント部がブリッジ（連結部材）を中心として回転することで跳ね上げることが出来、しかも跳ね上げたフレームで視界が遮られないようにした跳ね上げ式メガネに関するものである。
【背景技術】
【０００２】
近年、前掛け式メガネや跳ね上げ式メガネが多用されているが、前掛け式メガネとはフロント部の正面に別の前掛けフレームを着脱可能に取付けるように構成している。これに対して、跳ね上げ式メガネとは、跳ね上げフレームを着脱することなく、必要に応じて該跳ね上げフレームを上方へ跳ね上げることが出来る構造としている。
【０００３】
前掛け式メガネと跳ね上げ式メガネとは、その利便性に関して一長一短があり、各自が好みに応じて選択することが出来る。本発明では跳ね上げ式メガネを対象としているが、跳ね上げフロント部を跳ね上げる為の機構は色々存在している。しかし、基本構造は同じであり、フロントフレームに設けた軸を介して上方へ回転出来ると共に、所定の角度に保持されるように落下しない構造と成っている。
【０００４】
特開平９−２９２５９２号に係る「跳ね上げ式メガネフレーム」は、メガネのフロント正面に跳ね上げることのできる表フロントフレームを装着した跳ね上げ式メガネフレームであり、遠くを見る場合にも視界を妨げられることなく、また疲れも少ない跳ね上げ式メガネフレームである。
そこで、表フロントフレームは裏フロントフレームに継手を介して２段階の開き度をもって開閉可能に取付けし、継手は軸を介して両継手片を連結したもので、片方は裏フロントフレーム側に、他方は表フロントフレーム側にそれぞれ止着され、片方の継手片にバネ力を付勢したボールを設けて他方の継手片に形成した凹部に該ボールを押圧するようにしている。
【０００５】
特開２００３−１２１８０３号に係る「はね上げ式眼鏡フレーム」は、フロントフレームを円滑に回動することができ、しかも任意の回動角度に容易に維持することができ、さらに耐久性に優れ、かつ前記従来のはね上げ式のように一対のフロントフレームが前後に重ならないようにすることができるようにした跳ね上げ式眼鏡フレームである。
そこで、装着者がメイン・フロントフレームを回動して眼前から上方移動させる際には、メイン・フロントフレームに連結する回転軸を、樹脂製パイプとブリッジ筐体間の摩擦抵抗、板ばねの弾性力に抗しながら回動させる。そして、装着者が望む角度になったとき、メイン・フロントフレームの回動を止めると、樹脂製パイプとブリッジ筐体との摩擦抵抗と、板ばねからの弾性付勢力を受けて樹脂製パイプ、すなわち回転軸はその位置で保持される。
【０００６】
特開２００７−３２８３０７号に係る「撥ね上げ式眼鏡フレーム」は、可動フレームに緩みやガタつきが生じても、普及品のネジ回しで、良好な作動状態に回復できるよう、回転動作する機構にコイルバネを内蔵し、コイルバネの応力を外部に取り付けたネジによって調整できるようにした。また、回転動作軸の磨耗を防止し、且つ可動フレームを所定の位置に安定させる目的で、回転動作軸が摩擦抵抗ではなく、コイルバネの応力によって支持されるよう回転動作軸上に滑り止め用の凹部を設けている。
【０００７】
これらの他にも、実用新案登録第３１２４３８０号に係る「眼鏡」、特開２００９−１６３０４６号に係る「バネによる跳ね上げフレーム」など色々知られている。このように、従来の跳ね上げ式メガネはその跳ね上げ機構が色々知られているが、跳ね上げフロント部が跳ね上げられた場合に視界が遮られることがある。特に、ゴルフや野球をする場合に着用するメガネの場合、フロント部は顔との間に大きな隙間が生じないように、すなわち顔になじむように大きく湾曲した形態としている。従って、該フロントフレームの正面に取付けられる跳ね上げフロント部も大きく湾曲した形状と成っている。
【０００８】
跳ね上げフレームは上端中央に設けた軸を中心として旋回して跳ね上げられる為に、跳ね上げられた状態ではその両側端部が下方に垂れた状態となり、視界が一部遮られる。勿論、視界が遮られないように跳ね上げフロント部を高く跳ね上げれば問題はないが、ゴルフや野球をする場合には帽子を着用することが常であり、高く跳ね上げると帽子の日差しに当ってしまう。その為に高く跳ね上げることなく、ほぼ水平位置まで跳ね上げた状態で視界を遮らないことが好ましい。
【特許文献１】特開平９−２９２５９２号に係る「跳ね上げ式メガネフレーム」
【特許文献２】特開２００３−１２１８０３号に係る「はね上げ式眼鏡フレーム」
【特許文献３】特開２００７−３２８３０７号に係る「撥ね上げ式眼鏡フレーム」
【特許文献４】実用新案登録第３１２４３８０号に係る「眼鏡」
【特許文献５】特開２００９−１６３０４６号に係る「バネによる跳ね上げフレーム」
【発明の開示】
【発明が解決しようとする課題】
【０００９】
このように従来の跳ね上げ式メガネには上記のごとき問題がある。本発明が解決しようとする課題はこの問題点であり、ほぼ水平位置まで跳ね上げた跳ね上げフロント部によって視界が遮られることのない跳ね上げ式メガネを提供する。
【課題を解決するための手段】
【００１０】
本発明に係る跳ね上げ式メガネは、そのフロントフレームの正面に跳ね上げフロント部が取付けられ、該跳ね上げフロント部はフロントフレーム中央に設けた軸を中心として旋回して上方へ跳ね上げられる。そして、本発明では跳ね上げフロント部が左フロント部と右フロント部の２ピースで構成し、軸を介して連結している。従って、左右フロント部は軸を介して揺動することが出来、左右フロント部の交差角を変更できる。
【００１１】
ここで、跳ね上げフロント部が取付けられるフロントフレームは跳ね上げフロント部と同じように両リムを有してレンズを嵌めた形態とする場合、又はリムを備えることなく１本のワタリとして構成する場合などがある。そして、跳ね上げフロント部は一般にリムを有してレンズ、又はサングラスを嵌めた構造とするが、該リムはリング状のフルリム、ハーフリム、又はリムを備えないで両レンズを中央の連結部材にネジ止めして構成することも出来る。
【００１２】
ところで、左右フロント部は軸を中心として揺動する両継手片に取付けられ、そして該軸部にはバネを備え、バネの力を左右フロント部に付勢して所定の交差角に保っている。すなわち、左右フロント部がフロントフレームに当接して安定するようにバネ力が付勢される。そして、跳ね上げフロント部を上方へ跳ね上げるならば、継手片がフロントフレームの上面に当って、左右フロント部は揺動して持ち上げられるようにしている。フロントフレームの上面は継手片が当って左右フロント部が上方へ揺動するような形状としている。ここで、左右継手片の摺動面に細かい凹凸面を形成することで上記バネを備えることなくバタ付かないように安定させることも可能である。
【発明の効果】
【００１３】
本発明に係る跳ね上げ式メガネは、その跳ね上げフロント部を必要に応じて跳ね上げることが出来る。この場合、跳ね上げフロント部を構成している左右のフロント部は軸を中心として揺動することが出来、左右フロント部を取付けている継手片がフロントフレームに当って押上げられ、その為にほぼ水平位置に跳ね上げた状態でも視界が遮られることはない。
【００１４】
すなわち、顔になじんで大きく湾曲した跳ね上げフロント部であっても、跳ね上げると同時に上方に揺動することが出来る。そして、跳ね上げられた左右フロント部を下に降ろすならば、軸に備えたバネによってフロントフレームの正面に当って所定の位置に収まることが出来る。又、上方へ跳ね上がられた左右フロント部は、軸に備えたバネによって継手片がフロントフレームの上面に載って安定し、独りでに落下することはない。
【図面の簡単な説明】
【００１５】
【図１】本発明に係る跳ね上げ式メガネの平面図。
【図２】跳ね上げフロント部の背面図。
【図３】跳ね上げフロント部が跳ね上げられた状態の平面図。
【図４】跳ね上げフロント部が跳ね上げられた状態の正面図。
【図５】図２の中央部拡大図。
【図６】ワタリに設けた継手に左右継手片が取付けられた状態。
【図７】図４の中央部拡大図。
【発明を実施するための形態】
【００１６】
図１〜図４は本発明に係る跳ね上げ式メガネを示す実施例である。図１は平面図、図２は跳ね上げフロント部の背面図、図３は跳ね上げフロント部を跳ね上げた状態の平面図、図４は跳ね上げフロント部を跳ね上げた状態の正面図をそれぞれ表している。そして、同図の１はワタリ、２はツル、３は跳ね上げフロント部を表し、図１の平面図でのワタリ１は弓形に湾曲し、その両端には蝶番４，４を介してツル２，２が折畳み出来るように取付けられている。
【００１７】
ツル２は蝶番４にてワタリ１と連結しているが、ツル２が開いた際にワタリ１の先端部表面に重なり合うストッパー５が延びていて、ツルの開き度を規制している。同図のワタリ１は跳ね上げ式メガネのフロントフレームの１形態であって、レンズが嵌るリムを備えることなく、１本の弓形に湾曲した部材として構成している。又、必要に応じて跳ね上げ式フロント部と同じようにリムを有すフロントフレームとすることも出来る。
【００１８】
例えば、フロントフレームには近眼用のレンズを嵌め、跳ね上げ式フロント部にはサングラスを嵌めるといった場合もある。そして、同図に示すワタリ１の中央には２つの鼻当てパット２０，２０が対を成して取付けられ、跳ね上げ式メガネを顔に掛けた場合に該鼻当てパット２０，２０が鼻両脇に当ってワタリ１は支持される。又両ツル２，２は顔側面に当り、そして耳まで延びている。
【００１９】
ところで、このワタリ１には跳ね上げフロント部３が取付けられていて、継手６を介して旋回して上方へ跳ね上げることが出来る。跳ね上げフロント部３は一般的なメガネのフロント部と同じであり、このフロント部が不要な時に上方へ跳ね上げることが出来るように上記継手６を介してワタリ１に取付けられている。継手６はワタリ１の中央に設けられ、跳ね上げフロント部３の中央と連結している。
【００２０】
一方、跳ね上げフロント部３は中央に設けたネジ軸７を中心として両側に右フロント部８と左フロント部９を有し、右フロント部８と左フロント部９は該ネジ軸７を中心として揺動することが出来る。すなわち、右フロント部８は右継手片１０に取着され、左フロント部９は左継手片１１に取着されており、左右継手片１１，１０はネジ軸７を中心に揺動することで、左右継手片１１，１０に取着された左フロント部９及び右フロント部８は揺動して交差角を変更することが出来るように成っている。
【００２１】
ところで、右フロント部８及び左フロント部９は、図３に背面図を示しているように、ハーフリム１２の両端に水糸１３が止着して連結され、レンズ１４はハーフリム１２に嵌って水糸１３にて保持されている。勿論、左右フロント部９，８の形態は図２、図３に示すようなハーフリム１２と水糸１３にてレンズ１４を保持する構造に限定するものではなく、リング状のフルリムを用いる場合もあり、さらにはリムを用いることなく各継手片１０，１１にレンズ１４，１４を直接ネジ止めして構成することも可能である。
【００２２】
本発明の跳ね上げ式メガネを構成しているワタリ１は大きく湾曲しており、顔に掛けた場合になじむ形状としている。そして、両ツル２，２は顔の側面から後頭部を挟み込むことが出来、その際、湾曲したワタリ１は多少戻り変形し、顔側面及び後頭部に押圧力を付勢することが出来る。従って、ゴルフや野球などのスポーツをする時に位置ズレすることなく安定して着用出来る。
【００２３】
そして、ワタリ１の正面側に取付けられて跳ね上げられる跳ね上げフロント部３は、右フロント部８と左フロント部９から成って、ネジ軸７を中心として揺動可能と成っている。そこで、右フロント部８及び左フロント部９がバタ付かないように、該ネジ軸７にはコイルバネ１５が取付けられていて、右フロント部８が取着されている右継手片１０、及び左フロント部９が取着されている左継手片１１はワタリ１の正面１８にバネ力が付勢された状態で当接している。
【００２４】
同じく、図４に示しているように、跳ね上げフロント部３が跳ね上げられた時も右継手片１０及び左継手片１１はワタリ１の上面１９にバネ力が付勢された状態で当接している。そして、ワタリ１は中央に設けた継手６を中心として両側に滑らかな山形（凸形状）を形成している。その為に、図４のように跳ね上げフロント部３を跳ね上げた場合に、右継手片１０の先端がワタリ１の上面１９に当り、同じく左継手片１１の先端がワタリ１の上面１９に当ることで、右フロント部８及び左フロント部９は揺動して側端部は上方へ上昇することが出来る。
【００２５】
すなわち、跳ね上げフロント部３を跳ね上げた時に、右フロント部８及び左フロント部９の側端部がワタリ１より下方に位置しないようにしている。従って、跳ね上げフロント部３によって視界を遮られることはない。図１の平面図に示している右フロント部８と左フロント部９の位置関係を保って上方へ跳ね上げた場合には、右フロント部８及び左フロント部９の側端部はワタリ１の下方に位置して視界が遮られる。そこで、本発明は中央のネジ軸７を中心として左右フロント部１１，１０を揺動可能に取付けることで、上方へ跳ね上げた場合にワタリ１より上方に位置させることが出来る。
【００２６】
図５は前記図２の中央部拡大図を示したもので、右継手片１０と左継手片１１は段差を形成して互いに噛み合い、ネジ軸７にて連結されていて、このネジ軸７にコイルバネ１５が取付けられている。そして、コイルバネ１５の一方先端１６は左継手片１１に係合し、他方先端１７は右継手片１０に係合している。従って、このコイルバネ１５のバネ力が右継手片１０と左継手片１１に作用して、右フロント部８及び左フロント部９はガタ付かないようにワタリ１に安定して装着することが出来る。
【００２７】
図６はワタリ１に設けた継手６に跳ね上げフロント部３が取付けられている状態を示している。継手６から正面側へ延びたアーム２１の先端に右継手片１０が固定され、固定された右継手片１０に左継手片１１がネジ軸７によって連結している。そして、アーム２１と左継手片１１の背面側に形成した凹部にコイルバネ１５が収容されている。
【００２８】
図７は前記図４の中央部拡大図を示している。跳ね上げフロント３が跳ね上げられるならば、右継手片１０及び左継手片１１の先端はワタリ１の上面１９に当接して、右フロント部８及び左フロント部９はネジ軸７を中心として揺動する。すなわち、ワタリ１より上方に位置するようになり、そしてネジ軸７に取付けているコイルバネ１５のバネ力によって左右継手片１１，１０は上面１９に当接している。一方、右継手片１０と左継手片１１の摺動面に細かい凹凸面とすることで、左右継手片１１，１０は摩擦によって安定し、バタ付くことはない。
【符号の説明】
【００２９】
１  ワタリ
２  ツル
３  跳ね上げフロント部
４  蝶番
５  ストッパー
６  継手
７  ネジ軸
８  右フロント部
９  左フロント部
10  右継手片
11  左継手片
12  ハーフリム
13  水糸
14  レンズ
15  コイルバネ
16  先端
17  先端
18  正面
19  上面
20  鼻当てパット
21 アーム
【図１】
2011227222.tif 000003
【図２】
2011227222.tif 000004
【図３】
2011227222.tif 000005
【図４】
2011227222.tif 000006
【図５】
2011227222.tif 000007
【図６】
2011227222.tif 000008
【図７】
2011227222.tif 000009